(57)【要約】      （修正有）【課題】建物開口部に配置される建具に対して、防火性能を付与した防火建具を提供する。【解決手段】枠材を四周に組んでなる枠体と、框材３３を四周に組んでなり枠体の内周に配置される障子とを備え、枠体は、少なくとも一つの枠材１３に、障子の閉鎖時に障子の框材に当接する気密片ｓ３１ｃを有する難燃性の気密材ｓ３１と、枠体と気密片との間に配置される加熱発泡材５３とを備える事により、建具に対して高い防火性能を付与することができる。【選択図】図８
2020190137.tif 000002
【特許請求の範囲】
【請求項１】
枠材を四周に組んでなる枠体と、框材を四周に組んでなり枠体の内周に配置される障子とを備え、
枠体は、少なくとも一つの枠材に、障子の閉鎖時に障子の框材に当接する気密片を有する難燃性の気密材と、枠体と気密片との間に配置される加熱発泡材を備えている防火建具。
【発明の詳細な説明】
【技術分野】
【０００１】
建物開口部に配置される防火建具に関する。
【背景技術】
【０００２】
従来、建物開口部に配置される建具において、枠体と障子の框体との間に気密材を配置してなる建具が知られている。
【先行技術文献】
【特許文献】
【０００３】
【特許文献１】特開２０１１−２０８４４７号公報
【発明の概要】
【発明が解決しようとする課題】
【０００４】
近年、建具に対して、高い防火性能が求められている。
【０００５】
本発明は、建具に対して、高い防火性能を付与することを目的とする。
【課題を解決するための手段】
【０００６】
一実施形態は、枠材を四周に組んでなる枠体と、框材を四周に組んでなり枠体の内周に配置される障子とを備え、枠体は、少なくとも一つの枠材に、障子の閉鎖時に障子の框材に当接する気密片を有する難燃性の気密材と、枠体と気密片との間に配置される加熱発泡材を備えている防火建具である。
【発明の効果】
【０００７】
本実施形態の防火建具の構成により、建具に対して高い防火性能を付与することができる。
【図面の簡単な説明】
【０００８】
【図１】一実施形態に係る防火建具の内観図である。
【図２】一実施形態に係る防火建具の竪断面図である。
【図３】一実施形態に係る防火建具の横断面図である。
【図４】一実施形態に係る防火建具の通常時の模式的な正面図であり、（ａ）は全体正面図であり、（ｂ）は一部拡大正面図である。
【図５】一実施形態に係る防火建具の火災時の模式的な正面図であり、（ａ）は全体正面図であり、（ｂ）は一部拡大正面図である。
【図６】一実施形態に係る防火建具の模式的な横断面図であり、（ａ）は通常時の横断面図、（ｂ）は火災時の横断面図である。
【図７】建具の左竪枠の拡大横断面図であり、（ａ）は通常時の横断面図であり、（ｂ）は火災時の横断面である。
【図８】一実施形態に係る防火建具の左竪枠の拡大横断面図であり、（ａ）は通常時の横断面図であり、（ｂ）はその一部拡大図である。
【図９】一実施形態に係る防火建具の左竪枠の拡大横断面図であり、（ａ）は火災時の横断面図であり、（ｂ）はさらに火災が進んだ状態の横断面図である。
【発明を実施するための形態】
【０００９】
本発明の一実施形態の防火建具は、建物開口部に配置される枠体１０に対して、内障子２０及び外障子３０が開閉自在に配置された引き違いサッシである。
なお、引き違いサッシは、既設の建具に対して、既設窓枠を撤去することなく既設窓枠の内周に配置され、防火性能を備えた建具に改修することのできる防火改修建具であってもよい。
【００１０】
本実施形態の引き違いサッシは、図１に示すように、建物開口部に配置される枠体１０と、枠体１０に対して摺動自在に配置される内障子２０及び外障子３０を備えている。
【００１１】
枠体１０は、上枠１１，下枠１２及び左、右竪枠１３，１４を四周組みしてなり、建物開口部の内周面に固定手段によって固定されている。
【００１２】
内障子２０は、上框２１、下框２２、左竪框（召合框）２３及び右竪框（戸先框）２４を四周に組み、内周にパネル体２５を装着して形成されており、外障子３０は、上框３１、下框３２、左竪框（戸先框）３３及び右竪框（召合框）３４を四周に組み、内周にパネル体３５を装着して形成されている。
【００１３】
（枠体の構成）
枠体１０の上枠１１は、アルミ合金等の金属材料からなり、図２に示すように、建物開口部の内周面に配置される上枠本体部１１ａと、上枠本体部１１ａの室内側内周面から下方に延びる室内側壁部１１ｂと、上枠本体部１１ａの見込み方向略中央内周面から下方に延びる中央見付壁部１１ｃと、上枠本体部１１ａの室外側端内周面から下方に延びる室外側壁部１１ｄと、中央見付壁部１１ｃと室外側壁部１１ｄの間において、上枠本体部１１ａの内周面から下方に延びる室外側上レール部１１ｅを有している。
【００１４】
上枠１１の室内側壁部１１ｂと中央見付壁部１１ｃの間は、内障子２０の上辺を案内する室内側案内溝１１ｆを構成しており、上枠１１は、室内側壁部１１ｂの下端室外側面に、内障子２０の上部室内側面との間を気密する気密材ｓ１１が設けられている。
また、上枠１１は、中央見付壁部１１ｃの下端室外側面に、室外側上レール部１１ｅに案内される外障子３０の上部室内側面との間を気密する気密材ｓ１２を有している
【００１５】
枠体１０の下枠１２は、アルミ合金等の金属材料からなり、図２に示すように、室内側から室外側に向かって上段部と下段部が段状に形成され建物開口部の内周面に配置される下枠本体部１２ａと、下枠本体部１２ａの室内側端から上方に延びる室内側壁部１２ｂと、下枠本体部１２ａの見込み方向室内寄り（上段部の室外側端）の内周面から上方に延びる室内側下レール部１２ｃと、下枠本体部１２ａの見込み方向室外寄りの内周面から上方に延びる室外側下レール部１２ｄと、下枠本体部１２ａの室内側下レール部１２ｃの下端（上段部室外側端）から室外側に延びる気密材保持片１２ｅを有している。
【００１６】
下枠１２は、室内側壁部１２ｂの上端室外側面に、室内側下レール部１２ｃに案内される内障子２０の下部室内側面との間を気密する気密材ｓ２１を有しており、気密材保持片１２ｅの室外側端に、室外側下レール部１２ｄに案内される外障子３０の下部室内側面との間を気密する気密材ｓ２２を有している
【００１７】
枠体１０の左、右竪枠１３，１４は、アルミ合金等の金属材料からなり、図３に示すように、建物開口部に固定される左、右竪枠本体部１３ａ，１４ａと、左、右竪枠本体部１３ａ，１４ａの見込み方向略中央位置から内周方向に突設される中央壁部１３ｂ，１４ｂと、左、右竪枠本体部１３ａ，１４ａの室内側端から内周方向に突設される室内側壁部１３ｃ，１４ｃと、左、右竪枠本体部１３ａ，１４ａの室外側端から内周方向に突設される室外側壁部１３ｄ，１４ｄを有している。
【００１８】
左竪枠１３は、中央壁部１３ｂの室外側に外障子３０の戸先框３３の室内側との間を気密する気密材ｓ３１を有しており、右竪枠１４は、室内側壁部１４ｃの室外側に内障子２０の戸先框２４の室内側との間を気密する気密材ｓ４１を有している。
【００１９】
（内障子の構成）
内障子２０の上框２１は、アルミ合金等の金属材料からなり、図２に示すように、上枠１１の室内側案内溝１１ｆに案内される上框本体部２１ａと、上框本体部２１ａの内周に設けられたパネル間口２１ｂを有しており、上框本体部２１ａの室内側面が上枠１１の室内側壁部１１ｂに配置された気密材ｓ１１に当接もしくは近接している。
【００２０】
内障子２０の下框２２は、アルミ合金等の金属材料からなり、図２に示すように、下枠１１の室内側下レール部１２ｃに案内される戸車を備えた下框本体部２２ａと、下框本体部２２ａの内周に設けられたパネル間口２２ｂを有しており、下框本体部２２ａの室内側面が下枠１２の室内側壁部１２ｂに配置された気密材ｓ２１に当接もしくは近接している。
【００２１】
内障子２０の右竪框（戸先框）２４は、アルミ合金等の金属材料からなり、図３に示すように、中空部の外周側に右竪枠１４に向かって開口する溝部を有する右竪框本体部２４ａと、右竪框本体部２４ａの内周に設けられたパネル間口２４ｂを有している。
【００２２】
右竪框（戸先框）２４は、右竪框本体部２４ａの溝部内に引寄せブロックが配置されており、閉鎖時に室内側に引き寄せられた右竪框本体部２４ａの室内側に右竪枠１４の室内側壁部１４ｃの室外側に配置された気密材ｓ４１が当接している。
【００２３】
内障子２０の左竪框（召合框）２３は、アルミ合金等の金属材料からなり、図３に示すように、複数の中空部を有する左竪框本体部２３ａと、左竪框本体部２３ａの室内側内周に設けられたパネル間口２３ｂを有している。
なお、左竪框（召合框）２３は、必要に応じて左竪框本体部２３ａの中空部内に補強部材が配置されていてもよい。
左竪框（召合框）２３は、室外側面に、煙返しを形成する煙返し片２３ｃを有するとともに、外障子３０の召合框３４との間を気密する気密材ｓ５１が配置されている。
【００２４】
（外障子の構成）
外障子３０の上框３１は、アルミ合金等の金属材料からなり、図２に示すように、上枠１１の室外側上レール部１１ｅに案内される上框本体部３１ａと、上框本体部３１ａの内周に設けられたパネル間口３１ｂを有しており、上框本体部３１ａの室内側面に上枠１１の中央見付壁部１１ｃに配置された気密材ｓ１２が当接もしくは近接している。
【００２５】
外障子３０の下框３２は、アルミ合金等の金属材料からなり、図２に示すように、下枠１２の室外側下レール部１２ｄに案内される戸車を備えた下框本体部３２ａと、下框本体部３２ａの内周に設けられたパネル間口３２ｂを有しており、下框本体部３２ａの室内側面に下枠１２の気密材保持片１２ｅに配置された気密材ｓ２２が当接もしくは近接している。
【００２６】
外障子３０の左竪框（戸先框）３３は、アルミ合金等の金属材料からなり、図３に示すように、中空部の外周側に左竪枠１３に向かって開口する溝部を有する左竪框本体部３３ａと、左竪框本体部３３ａの内周に設けられたパネル間口３３ｂを有している。
【００２７】
左竪框（戸先框）３３は、左竪框本体部３３ａの溝部内に引寄せブロックが配置されており、閉鎖時に室内側に引き寄せられた左竪框本体部３３ａの室内側に左竪枠１３の中央壁部１３ｂの室外側に配置された気密材ｓ３１が当接している。
【００２８】
外障子３０の右竪框（召合框）３４は、アルミ合金等の金属材料からなり、図３に示すように、中空部を有する右竪框本体部３４ａと、右竪框本体部３４ａの内周に設けられたパネル間口３４ｂを有している。
なお、右竪框（召合框）３４は、必要に応じて右竪框本体部３４ａの中空部内に補強部材が配置されていてもよい。
右竪框（召合框）３４は、室内側面に、煙返しを形成する煙返し片３４ｃを有するとともに、内、外障子２０，３０の閉鎖時にパネル間口３４ｂの室内側面に内障子２０の左竪框２３に設けられた気密材ｓ５１が当接もしくは近接している。
【００２９】
以上の建具において、内、外障子の通常閉鎖時は、図４（ａ）に示すように、枠体１０の上枠１１及び右竪枠１４と、内障子２０の上框２１及び右竪框２４は、見込み方向で重複しており、同様に、枠体１０の上枠１１及び左竪枠１３と、外障子３０の上框３１及び左竪框３３も、見込み方向で重複している。
なお、図４及び図５は、枠体の枠材と障子の框材との重複状態を説明するために重複部分を誇張して記載した模式図であって、実際の枠体と障子との寸法関係とは異なっている。
【００３０】
枠体１０と外障子３０を例示して説明すれば、図４（ｂ）に示すように、枠体１０の上枠１１と外障子３０の上框３１は、見付寸法ｘ１の幅寸法で長手（左右）方向一様に重複しており、枠体１０の左竪枠１３と外障子３０の左竪框３３は、見付寸法ｘ３の幅寸法で長手（上下）方向一様に重複している。
【００３１】
このとき、図６（ａ）に示すように、内障子２０及び外障子３０に反りはなく、図７（ａ）に示すように、外障子３０の左竪框３３の左竪框本体部３３ａの室内側に対して左竪枠１３の中央壁部１３ｂの室外側に配置された気密材ｓ３１が当接しており、室内外の気密が図られている。
【００３２】
そして、本実施形態の防火建具においては、気密材ｓ３１を複合防火ＰＶＣなどの難燃性の材質により形成することで、火災発生時においても、気密材ｓ３１が直ちに焼失することなく、内、外障子２０，３０に対する当接状態を維持して枠体と障子との間における室内外の連通による延焼を抑制している。
【００３３】
しかし、以上の建具においては、火災が発生すると、枠体１０及び内、外障子２０，３０の框体に反りの変形等が生じ、気密材ｓ３１が焼失していないにも関わらず、枠体と障子との間において内外空間が連通するおそれがある。
【００３４】
室外側に火災が発生した場合を例にして説明すると、火災が発生することによって、枠体１０の上枠１１及び竪枠１３，１４は、熱によって延び、図５（ａ）に示すように、中央部分が内周側に向かうとともに、上下端部が外周側に向かうように反りが生じる。
【００３５】
一方、内、外障子２０，３０の上框２１，３１及び左、右竪框２３，２４，３３，３４は、熱によって延びることで、枠材と同様に、中央部分が内周側に向かうとともに、上下端部が外周側に向かうように反りが生じる。
なお、この時、図６（ｂ）に示すように、内、外障子２０，３０は、室外側に向かって湾曲するように反りが生じている。
【００３６】
そして、枠体１０の上枠１１及び竪枠１３，１４は、肉厚が薄く熱の影響を受けやすく、また、内、外障子２０，３０は、枠体１０との間に余裕があることなどの理由から、枠体１０の上枠１１及び竪枠１３，１４の反りにくらべて、内、外障子２０，３０の上框２１，３１及び左、右竪框２３，２４，３３，３４の反りが小さくなる。
【００３７】
そのため、図５（ｂ）に示すように、左竪枠１３と左竪框３３は、上下端部の重複寸法ｘ３１は中央付近の重複寸法ｘ３２に比べて小さくなり、図７（ｂ）に示すように、外障子３０の左竪框本体部３３ａの室内側に対して左竪枠１３の中央壁部１３ｂの室外側に配置された気密材ｓ３１が当接できなくなるおそれがあった。
【００３８】
そこで、本実施形態の防火建具においては、気密材ｓ３１と左竪枠１３との間に熱により発泡する加熱発泡材を配置することで、枠体１０及び内、外障子２０，３０の火災時の反りによる気密能力の低下を抑制している。
以下、左竪枠１３を例示しながら、さらに具体的に説明する。
【００３９】
本実施形態の防火建具の枠体１０の左竪枠１３は、図８（ａ）に示すように、中央壁部１３ｂの室外側面に気密材ホルダ１３ｅが形成されており、気密材ホルダには、気密材ｓ３１が配置されている。
【００４０】
本実施形態の防火建具の気密材ｓ３１は、図８（ｂ）に示すように、中央壁部１３ｂの気密材ホルダ１３ｅに係止される係止部ｓ３１ａと、係止部ｓ３１ａの内周室外側から室外側に向かって湾曲状に延びる第１気密片ｓ３１ｂと、係止部ｓ３１ａの室外側外周から室外側及び外周側に延びる第２気密片ｓ３１ｃを有している。
【００４１】
外障子３０の閉鎖時には、気密材ｓ３１の第１気密片ｓ３１ｂが左竪框本体部３３ａの室内側面に当接し、気密材ｓ３１の第２気密片ｓ３１ｃが左竪枠１３の内周面に当接すると共に左竪框本体部３３ａの室内側外周端に当接している。
なお、外障子３０の開放時においても、気密材ｓ３１の第２気密片ｓ３１ｃは左竪枠１３の内周面に当接している。
【００４２】
そして、左竪枠１３は、中央壁部１３ｂの室外側面で気密材ホルダ１３ｅの外周側に熱により発泡する加熱発泡材５３が配置されている。
中央壁部１３ｂに配置された加熱発泡材５３は、左竪枠１３と気密材ｓ３１の第２気密片ｓ３１ｃとの間に配置されているので、加熱発泡材５３の室外側は常に第２気密片ｓ３１ｃによって覆われており、直接室外に露出することがない。
【００４３】
火災発生時には、図９（ａ）に示すように、外障子３０が室外側に反るとともに、左竪枠１３と外障子３０の左竪框３３の反りの程度の違いから、左竪枠１３に設けた気密材ｓ３１の第１気密片ｓ３１ｂと左竪框３３の左竪框本体部３３ａの室内側面との当接部に隙間が生じることがあるが、火災時の熱が加熱発泡材５３に伝わることで、加熱発泡材５３は気密材ｓ３１の第２気密片ｓ３１ｃを左竪框本体部３３ａに向かって押し出すように発泡し、発泡した加熱発泡材５３と残存する第２気密片ｓ３１ｃとによって竪枠１３と竪框３３との間の連通を抑制することができる。
【００４４】
さらに火災が進んで気密材ｓ３１の第２気密片ｓ３１ｃが焼失しても、図９（ｂ）に示すように、左竪枠１３と左竪框３３との間は、発泡した加熱発泡材５３によって塞がれ、室内外の連通を抑制することができる。
【００４５】
以上のように、本実施形態の防火建具は、枠体と障子の框体との間を気密する気密材として難燃性の気密材を用いることで、火災初期における室内外の連通を抑制することができる。
そして、火災が進み、熱によって枠体及び障子に反り等の変形が生じるころには、気密材の気密片と枠体との間に配置した加熱発泡材に熱が伝わって気密材の気密片を障子の框体に向かって押し出すように加熱発泡材が発泡することで、火災中期における室内外の連通を抑制することができる。
さらに、火災が進み、気密材の気密片が焼失しても、枠体と框との間に加熱発泡材が充満することで、火災後期における室内外の連通を抑制することができる。
【００４６】
そして、本実施形態の防火建具は、通常時には、加熱発泡材が気密材によって覆われているので、加熱発泡材の劣化を抑制することができるとともに、火災時には、火炎等の熱による急激な温度上昇を抑制して、枠体や框に反りが生じる前に発泡し、その後の反りによって隙間が生じてしまうことを抑制するとともに、発泡時に加熱発泡材が垂れ落ちてしまうことを抑制することができる。また、意匠性も良好である。
【００４７】
特に、加熱発泡材が気密材の気密片によって覆われていることで、気密片の当接による枠材と框材間の気密状態から、加熱発泡材の発泡による枠材と框材間の気密状態にスムーズに変化することができ、火災時において途中で気密状態が破壊される危険性を減少させることができる。
【００４８】
なお、本実施形態の加熱発泡材は、枠材の見付壁（中央壁部）の室外側面に配置されているが、加熱発泡材を配置する部位は、枠材の内周面（見込面）であってもよく、見付面及び見込面の両方に配置されていてもよい。
また、加熱発泡材は、枠材の長手方向に沿って配置されているが、少なくとも火災時に枠体と障子との隙間が生じやすい端部近傍部分に対して配置することで経済性と防火性を兼ね備えた防火建具を構成することができる。なお、加熱発泡材は、端部近傍部分を中央部分よりも多く加熱発泡材を配置してもよい。
【００４９】
なお、本実施形態の防火建具に用いられる難燃性の気密材とは、火炎によって焼失もしくは溶解しない気密材に限定されるものではなく、容易に焼失もしくは溶解しない材料によって形成されている気密材や容易に焼失もしくは溶解しないように何らかの難燃処理が施されている気密材など、容易に焼失もしくは溶解しない気密材であればよく、特に限定されるものではない。
【００５０】
なお、本実施形態では、建具として引違いサッシの例をあげて説明しているが、建具の種類は限定されるものではなく、また、気密材及び加熱発泡材が配置される枠材は、竪枠に限らず、上枠もしくは下枠の何れにも適用できる。
【００５１】
その他、以上の実施形態は，請求項に記載された発明を限定するものではなく，例示として取り扱われることはいうまでもない。
【符号の説明】
【００５２】
１０      ：枠体
１３      ：左竪枠（枠材）
１３ｂ    ：中央壁部
１３ｅ    ：気密材ホルダ
３０      ：外障子
３３      ：左竪框（框材）
３３ａ    ：左竪框本体部
３３ｂ    ：パネル間口
５３      ：加熱発泡材
ｓ３１    ：気密材
ｓ３１ａ  ：係止部
ｓ３１ｂ  ：第１気密片
ｓ３１ｃ  ：第２気密片（気密片）
【図１】
2020190137.tif 000003
【図２】
2020190137.tif 000004
【図３】
2020190137.tif 000005
【図４】
2020190137.tif 000006
【図５】
2020190137.tif 000007
【図６】
2020190137.tif 000008
【図７】
2020190137.tif 000009
【図８】
2020190137.tif 000010
【図９】
2020190137.tif 000011